(57)【要約】      （修正有）【課題】数字選択式宝くじは日本国内では、ロト７、ロト６、ミニロト、ナンバーズ、ビッグ等多くある。宝くじ購入者は各くじのルールを理解することは勿論、さらに数字の選択を行うのは面倒なことである。【解決手段】各種の数字選択式宝くじの数字範囲の各個を表記し、且つ同一形状の数字駒群と、この数字駒群を一括収納し、外部から内部が見えない収納容器を提供する器具を用意する。数字駒は収納容器内で混合する際によく混合でき、手で取り出す場合には挿入した手の指先で数字を探ることができないこと等を計る。収納容器には宝くじの種類又は種類を示唆する字句を明記する。【選択図】図１
2015141710.tif 000002
【特許請求の範囲】
【請求項１】
各種の数字選択式宝くじの数字範囲に応じ数字を各個に表記し、且つ同一形状の数字駒群と、外部から内部が見えない収納容器とでなる数字取り出し器具。
【請求項２】
請求項１の数字取り出し器具であって、木、樹脂、軽金属等の球体で形成し、表記部の反対側に金属片を埋設したことを特徴とする数字駒と、収納容器とでなるもの。
【請求項３】
請求項１の数字取り出し器具であって、球体で形成し、表記部の反対面に、球体の直径の半分程度の切り欠け面を設けたことを特徴とした数字駒と、収納容器とでなるもの。
【請求項４】
請求項１の数字取り出し器具であって、半球体２個を接着、嵌め合せ等の手段で接合し球体を形成して、一方の半球体は透明材として接合面に数字、模様を表記したことを特徴とする数字駒と、収納容器とでなるもの。
【請求項５】
請求項１の数字取り出し器具であって、半球体で形成し，球頂面或は平面部に数字、模様等を表記したことを特徴とする数字駒と、収納容器とでなるもの。
【請求項６】
請求項１の数字取り出し器具であって、中空球体で形成し，球外面に数字、模様等を表記したことを特徴とする数字駒と、収納容器とでなるもの。
【発明の詳細な説明】
【技術分野】
【０１】数字選択式宝くじの数字選択を容易にする数字取り出し器具に関する。
【背景技術】
【０２】数字選択式宝くじは日本国内では、ロト７、ロト６、ミニロト、ナンバーズ、ビッグ等多くある。
海外に於いても世界各国独自のものが多くある。宝くじ購入者は各くじのルールを理解することは勿論、さらに数字の選択を行うのは面倒なことである。家族の誕生日、購入の日、カード番号、自動車のナンバープレート番号等を参考にしたり、過去の出数の確率を参考にしたり、いろいろ工夫している。しかしその面倒が自ら数字選択した満足感でもある。自ら数字選択の方法を思いつかないものには、宝くじへの参加は難しいものであった。
【発明が解決しようとする課題】
【０３】数字選択に於いて簡易な数字取り出し器具があれば宝くじへの参加が容易になる。その器具は日常の出し入れや保守が容易であること、場所をとらないこと、机上等に置いても美観を損なわないこと、操作が容易であること、一人でも多人数でも楽しみながら数字取り出しができること。
【課題を解決するための手段】
【０４】各種の数字選択式宝くじの数字範囲の各個を表記し、且つ同一形状の数字駒群と、この数字駒群を一括収納し、外部から内部が見えない収納容器を提供し、収納容器より所要の数の数字駒を取り出す。数字駒は収納容器内で混合する際によく混合でき、鋭利な角がなく、凸部で互いに傷つけないこと、手で取り出す場合には挿入した手の指先で数字を探ることができないこと等を計る。収納容器には宝くじの種類又は種類を示唆する字句を明記する。
【実施例１】（図１、図２）【０５】巾着袋１は表面３に適応宝くじの種類を刺繍、印刷、焼印等の手段で明記する。口紐２は巾着袋１の開口部を開閉する。ボール４は表面に１〜所要数字までを各個別に印刷、レーザーマーカー等の手段で表記してボール４群とする。【０６】巾着袋１内にボール４群を投入しよく混合する。口紐２を緩め、手を挿入して所要数のボール４を取り出す。例えばロト６なら１〜４３の数字を表記した４３個のボール４を投入し６個のボール４を、ロト７なら１〜３７の数字を表記した３７個のボール４を投入し７個のボール４を取り出し、記載されている数字を宝くじの申込カードに転記する。【０７】子供、高齢者でも容易に数字を決めることができる。一人でも多人数でも楽しみながら数字取り出しができる。ボール４の大きさをビー玉程度とすると、たいした容積を必要としないので巾着袋１は大人の握り拳が楽に挿入できる程度の小ぶりなもので済む。巾着袋１は意匠を施した美観のあるものとし、机上等に置いても美観を損なわないことを計る。ボール４は巾着袋１内に投入して保管できる。ボール４は球状であり混合しやすく、混合時に他のボール４を傷つけにくい。
【実施例２】（図３、図４）【０８】前記実施例１でボール４は巾着袋１より取り出した際、机上等に置くとコロコロ転がって表記した数字が読取り難い。ボール置台を設けると解決できるが余分な部品が必要である。
転がりにくく、表示を上面に安定して置ける数字駒を提供する。又、巾着袋内で混ぜるとき混ざりやすく、傷をつけにくい形状を計る。【０９】数字駒１１は球体で形成し、表記部１２の反対表面に切り欠け面１３を設ける。切り欠け面１３の平面直径は球体直径の半分程度とする。切り欠け面１３の角部１４は滑らかなＲ面取りを施して混合時他の数字駒への傷つけを防止する。【１０】数字駒１１を巾着袋１より取り出した際、切り欠け面１３を下にして置くと表記部１２は最上面に位置し、表記が読み取りやすく、少しの傾斜面に置いても転がらない。
【実施例３】（図５）【１１】表記部を上面に安定して置ける数字駒を提供する。数字駒２１は木、樹脂、軽金属等の球体で形成し、表記部２２の反対面に金属片２３を埋設する。【１２】数字駒２１は巾着袋１より取り出して机上に置いた際、起き上がりこぼし作用で表記部２２を上にして安定停止する。金属片２３を鉄材とし、玉置部に磁石を設置しておくと磁力吸着し更に安定する。
【実施例４】（図６）【１３】数字駒３１は半球体３２で形成し，平面部３４の角３５は滑らかなＲ面取りを施して混合時他の数字駒の傷つけを防止する。半球体３２の球頂面３３に数字、模様等を表記する。或は半球体３２を透明材とし平面部３４に数字、模様等を表記する。【１４】数字駒３１は巾着袋１より取り出した際、平面部３４を下にして置く。転がることが全くないので数字、模様等は読取が容易である。数字駒３１は球状に近いので巾着袋１内で混ざりやすい。ガラス材などで製造可能だから安価に提供できる。半球体３２を透明材とするとレンズ効果で表記面積が小さくても大きく見え、視覚効果が大になる。
数字駒３１を透明なアクリル樹脂、ガラス等とし、レーザーマーカーで内部に数字模様を表記すると表面には凹み等が一切ないので摩耗、傷つきがなく、不思議な雰囲気の数字駒を提供できる。
【実施例５】（図７）【１５】数字駒４１は半球体４２，４３を接着、嵌め合せ等の手段で接合し球体を形成している。
半球体４２は透明材とし接合面４４に数字、模様４５を表記する。半球体４３は実施例１の様に平面部を設ける、実施例２の様に金属片を埋め込む、或いは半球体４３を重いもので形成する等の手段を施す。数字駒４１をゴム材で形成すると混合時音が静かである。【１６】数字駒４１は実施例１，２と同様に数字、模様４５を見やすい位置に安定停止さす。また数字、模様４５は露出しないので混合時の傷つけを防止できる。巾着袋１より手で取り出す場合、指先で数字、模様を探り出すのを防止できる。【１７】１〜９、１〜５０の２種類の数字駒を２個の巾着袋に夫々投入し、夫々の巾着袋から２個及び５個を取り出すとユーロミリオンズに利用できる。数字選択に迷う場合や数字選択が面倒な場合などに利用できる。夫々の巾着袋には１〜９、１〜５０の表示をして混同を防止する。
家族でくじを楽しめる等の効果がある。ほぼ球形だから混ざりやすく表記を傷つけにくい。
巾着袋１は柔軟だから数字駒の混合の際、音が靜かである。【１８】数字駒は他にもトランプ等のカード式、ポーカーチップの様なコイン式、おみくじの様な丸棒式等も可能である。収納容器はビン、壺、丸筒、角箱等も可能である。巾着袋式は携帯に便利、机上にあっても場所をとらない等の利点がある。収納容器と数字駒はくじの種類別に専用にして混同を避けるのが良い。（ロト６とロト７では数字の数が近いので混同の恐れがある）
【実施例６】（図８、図９）【１９】収納容器５０は壺状体で形成している。表面に宝くじの種類を表す字句を表記している。
数字駒５２は先端部５３に数字等を表記した棒状体でなる。収納容器５０に数字駒５２を先端部５３より挿入する。先端部５３は外部からは見えない。任意の数字駒５２を収納容器５０より引き抜き、数字を確認する。
【実施例７】（図１０）【２０】数字を表記した穴あきビーズ玉６２を数字駒としたとき、取り出した穴あきビーズ玉６２を並べる台６０を提供する。台６０に穴あきビーズ玉６２の穴６３と係合するピン６１を所要数立てておく。収納容器より取り出した穴あきビーズ玉６２をピン６１に差し込む。転がらない、取り出し数を間違えない等の利点がある。【２１】収納容器の表面には開運、福授、招福、楽園等の縁起の良い字句を表示しておき、購入した宝くじを収納容器内に入れて縁起を担ぐことができる。数字駒と同じ形状で偶数、奇数、もう一度等の字句を表記したものを混ぜておくと、その駒を取り出した場合表記に従って再度数字駒を取り出す等のゲーム性が増す。偶数、奇数、もう一度等の字句を表記したサイコロを用意して同様のゲーム性を増すこともできる。収納容器を透明体で形成した場合は、使用時に布等で内部を見えなくする。
【実施例８】
【２２】数字を表記した中空のゴムボールを数字駒とし、収納容器はゴムボール群の容積より充分大きな袋、箱等にする。収納容器の外壁に穴を設置し、手を挿入してゴムボールを取り出す。ゴムボールの大きさをテニスボール程度とすると高齢者や幼児でも取り出し易い。デーサービス等で数字選択宝くじをみんなで楽しめ、数字遊びができる。リハビリ用具になる。軽量で収納保管が容易である。
【図面の簡単な説明】
【２３】
【図１】実施例１の巾着袋の斜視図
【図２】実施例１のボール４群の斜視図
【図３】実施例２の正面図
【図４】実施例２の平面図
【図５】実施例３の正面図、下部は部分断面している。
【図６】実施例４の正面図
【図７】実施例５の斜視図
【図８】実施例６の斜視図
【図９】実施例６の数字駒５２の斜視図
【図１０】実施例７の数字駒を穴あきビーズ玉６２としたときの台６０の斜視図
【符号の説明】
【２４】１：数字駒  ２：表記部  ３：切り欠け面  ４：角部
【図１】
2015141710.tif 000003
【図２】
2015141710.tif 000004
【図３】
2015141710.tif 000005
【図４】
2015141710.tif 000006
【図５】
2015141710.tif 000007
【図６】
2015141710.tif 000008
【図７】
2015141710.tif 000009
【図８】
2015141710.tif 000010
【図９】
2015141710.tif 000011
【図１０】
2015141710.tif 000012